(57)【要約】【課題】  コンパクトであると共に手軽に整髪処理することを可能とする。【解決手段】  温度調整可能なロッド及び髪止め具と、ロッド及び髪止め具に接続されロッド及び髪止め具の温度を操作部２５の操作により制御する制御ボックス３と、制御ボックス３を、ケース１に収容し、ケース１は、制御ボックス３を収容するケース本体部５、操作部２５を開閉するケース蓋部７を備え、ケース蓋部７は、閉じ状態で操作部２５との間に収容空間部２９を形成する。ケース蓋部７は、ケース本体部５に対して起立状態及び閉じ状態に開閉可能であり、ケース蓋部７を、起立状態のときハンガーフレーム４７を保持可能に形成し、ケース蓋部７に保持したハンガーフレーム４７に、制御ボックス３とロッド及び髪止め具との間を接続する電線４１を架けることが可能であることを特徴とする。【選択図】  図１
2006025940.tif 000002
【特許請求の範囲】
【請求項１】
温度調整可能な整髪具と、
前記整髪具に接続され該整髪具の温度を操作部の操作により制御する制御手段とを備え、
前記制御手段を、ケースに収容し、
前記ケースは、前記制御手段を収容するケース本体部及び前記操作部を開閉するケース蓋部を備えた
ことを特徴とする整髪処理装置。
【請求項２】
請求項１記載の整髪処理装置であって、
前記ケース蓋部は、閉じ状態で前記操作部との間に収容空間部を形成する
ことを特徴とする整髪処理装置。
【請求項３】
請求項１又は２記載の整髪処理装置であって、
前記ケース蓋部は、前記ケース本体部に対して起立状態及び閉じ状態に開閉可能であると共に起立状態のときハンガーフレームを保持可能に形成され、
前記ケース蓋部に保持したハンガーフレームに、前記制御手段及び整髪具間を接続する電線を架けることが可能である
ことを特徴とする整髪処理装置。
【請求項４】
請求項３記載の整髪処理装置であって、
前記ハンガーフレームを前記ケース蓋部から取り外して分解又は折り畳み可能に構成し、
前記整髪具、ハンガーフレーム、及び電線を前記収容空間部に収容する
ことを特徴とする整髪処理装置。
【請求項５】
請求項１〜４の何れかに記載の整髪処理装置であって、
前記制御手段は、スイッチング電源回路又は乾式自冷ＷＢ変圧器を備え、
前記整髪具に、交流電源からの電力を出力する
ことを特徴とする整髪処理装置。
【発明の詳細な説明】
【技術分野】
【０００１】
本発明は、毛髪をカールする際等に用いられる整髪処理装置に関する。
【背景技術】
【０００２】
従来の整髪処理装置例えば図１６，図１７に示すヘアウェーブ装置がある。このヘアウェーブ装置は、分電箱２０１からコード２０３を延線し、このコード２０３の他端にヘアカーラー２０５を着脱自在に接続したものである。ヘアカーラー２０５は、内部にセラミックヒータ２０７を備え、セラミックヒータ２０７の電気的な発熱によって、頭髪のカーリングを促進することができる。
【０００３】
しかし、かかる整髪処理装置は、壁に固定して取り付けられており、移動ができないという問題があった。
【０００４】
これに対し、走行可能なワゴンにヘアウェーブ装置を設けたものがあり、被処理者の周辺へ移動させることで整髪処理を容易に行わせることができる。
【０００５】
しかし、この装置は、ワゴンが１ｍ程度以上の高さであり、制御部が上部に設けられ、変圧トランスが下部に備えられたものである。従って、極めて大型で重量があり、使用に際して手軽さに欠けると共に、整髪処理後に大きな置き場所スペースを確保する必要もあった。
【０００６】
【特許文献１】特開平９−２１５５１７
【発明の開示】
【発明が解決しようとする課題】
【０００７】
解決しようとする問題点は、手軽さに欠け、大きな置き場所スペースを確保しなければならない点である。
【課題を解決するための手段】
【０００８】
本発明の整髪処理装置は、コンパクトであると共に手軽に整髪処理することを可能とするため、温度調整可能な整髪具と、前記整髪具に接続され該整髪具の温度を操作部の操作により制御する制御手段と、前記制御手段を、ケースに収容し、前記ケースは、前記制御手段を収容するケース本体部及び前記操作部を開閉するケース蓋部を備えたことを最も主要な特徴とする。
【発明の効果】
【０００９】
本発明の整髪処理装置は、温度調整可能な整髪具と、前記整髪具に接続され該整髪具の温度を操作部の操作により制御する制御手段とを備え、前記制御手段を、ケースに収容し、前記ケースは、前記制御手段を収容するケース本体部及び前記操作部を開閉するケース蓋部を備えたため、ケースを被処理者の周辺に配置し、ケース蓋部を開けることにより制御手段の操作部が操作可能となり、手軽に整髪処理することができる。また、整髪処理後は、ケース蓋部を閉めれば全体がコンパクトになり、置き場所スペースも少なくすることができる。
【００１０】
前記ケース蓋部が、閉じ状態で前記操作部との間に収容空間部を形成する場合は、収容空間部に整髪具等を収容することができる。
【００１１】
前記ケース蓋部が、前記ケース本体部に対して起立状態及び閉じ状態に開閉可能であると共に起立状態のときハンガーフレームを保持可能に形成され、前記ケース蓋部に保持したハンガーフレームに、前記制御手段及び整髪具間を接続する電線を架けることが可能である場合は、ケース蓋部を利用してハンガーフレーム及び電線を配備することができ、手軽に整髪処理を行わせることができる。
【００１２】
前記ハンガーフレームを前記ケース蓋部から取り外して分解又は折り畳み可能に構成し、前記整髪具、ハンガーフレーム、及び電線を前記収容空間部に収容する場合は、ケース蓋部を利用してハンガーフレーム及び電線を配備することができ、手軽に整髪処理を行わせることができながら、コンパクトに収容することができる。
【００１３】
前記制御手段は、スイッチング電源回路又は乾式自冷ＷＢ変圧器を備え、前記整髪具に、交流電源から直流電力又は交流電力として供給する場合は、変圧トランスを不要とし、重量を大幅に軽減し、より手軽に整髪処理を行わせることができる。
【発明を実施するための最良の形態】
【００１４】
本発明の整髪処理装置は、コンパクトであると共に手軽に整髪処理するため、ケースを用いて実現した。
【実施例１】
【００１５】
図１、図２は、本発明の実施例１に係る整髪処理装置を示し、図１は使用状態の斜視図、図２は同正面方向から見た使用状態の一部省略斜視図である。
【００１６】
図１、図２のように、整髪処理装置は、ケース１に制御手段としての制御ボックス３を収容している。
【００１７】
前記ケース１は、全体が、例えば、高さ３０ｃｍ、幅３０ｃｍ、長さ４０〜５０ｃｍ程度の直方体形状をなし、ケース本体部５及びケース蓋部７から成っている。ケース本体部５に対しケース蓋部７はヒンジ９により結合されている。従ってケース蓋部７は、ケース本体部５の開口１１を閉じる状態と開く状態とに開閉動作することができる。ケース蓋部７は、全開状態で図１のようにケース本体５に対してほぼ起立状態となる。
【００１８】
前記ケース本体部５には、ロック係合金具１３が設けられ、ケース蓋部７には、前記ロック係合金具１３をロック係止させるロック係止金具１５が設けられている。ケース本体部５の両側には、両手で持ち上げるときの指掛け部１７が設けられている（図１では片側のみ図示している。）。
【００１９】
図３は、ケース蓋部７の上面側から見た斜視図である。図３のようにケース蓋部７は、天板２１及び側壁２３ａ，２３ｂ，２３ｃから成っている。ケース蓋部７の天板２１上面には、中央部に把持用の取手部１９が設けられている。
【００２０】
前記ケース本体部５には、前記制御ボックス３が収容保持されている。制御ボックス３は、その操作部２５の盤面２７が前記ケース本体部５の開口１１を閉塞する形態で取り付けられている。の実施例において制御ボックス３の外殻はケース本体部５で構成されている。但し、制御ボックス３の外殻を別に形成し、該制御ボックスをケース本体部５に嵌め込む構成にすることもできる。
【００２１】
前記ケース蓋部７が閉じられ、側壁２３ａ，２３ｂ，２３ｃがケース本体部５の開口１１縁部に合わされると開口１１に配置される制御ボックス３の盤面２７とケース蓋部７との間に収容空間部２９が形成される。
【００２２】
前記制御ボックス３は、前記盤面２７に複数の制御ボタン３１、液晶表示部３３、電線結合用の複数のコネクタ部３５などを備えている。
【００２３】
前記制御ボタン３１は、連続設定、単発設定の選択、温度設定等を行うものである。連続設定は、例えば図８以後で説明する整髪具としてのロッド３７及び髪止め具３９の後述するフィルムヒータの温度制御を一連の複数種の加熱処理のために行う。単発設定は、例えば後述する温度差５０℃を持ったフィルムヒータ間の温度制御を行う。
【００２４】
前記液晶表示部３３には、設定温度の表示等が行われる。
【００２５】
前記コネクタ部３５には、電線４１の一方のコネクタ４３がそれぞれ差し込まれ、電気的に結合されている。
【００２６】
前記制御ボックス３は、従来のような変圧トランスを用いず、軽量で小型の構成となっている。図４は、従来の変圧トランスを用いた回路を示し、（ａ）は直流電力出力用、（ｂ）は交流電力出力用の回路図である。図５は、実施例１に係る制御ボックスに係り、（ａ）は直流電力出力用、（ｂ）は交流電力出力用の回路図である。
【００２７】
図４のように従来の制御手段は、（ａ）のようにＡＣ１００Ｖの電源３８からの供給電力を変圧トランス４０、整流回路４２を介し直流電力として、或いは（ｂ）のように整流回路を介さず交流電力として出力している。このため、変圧トランス４０を必要とし、大型で重量の大きな装置となり、従来のような大きなワゴンに一体的に設けなければならなかった。
【００２８】
これに対し、図５の実施例１に係る整髪処理装置では、（ａ）のようにＡＣ１００Ｖの電源３８からの供給電力をトランジスタで構成したスイッチング電源回路４４を介し直流電力として、或いは（ｂ）のように乾式自冷ＷＢ変圧器４６を介して交流電力として出力している。このため、従来の変圧トランス４０を不要とし、小型で軽量の装置となり、図１，図２のように、小型のケース１にまとめることができる。
【００２９】
制御ボックス３が備える回路は、具体的に図６又は図７のような構成となる。
【００３０】
図６の回路は、図５（ａ）に対応し、サージアブソーバ４８、ノイズフィルター５０、整流回路５２、変圧器５４、整流回路５６、スイッチングコントロール回路５８、ノイズフィルター６０、平滑回路６２を備えている。スイッチングコントロール回路５８はＦＥＴ６４及びＣＰＵ６６等で構成されている。
【００３１】
そして、ＡＣ１００Ｖがサージアブソーバ４８、ノイズフィルター５０、整流回路５２を介して変圧器５４に入力される。サージアブソーバ４８は、雷などに対する対応を行う。ノイズフィルター５０は、電源ノイズを除去する。変圧器５４の出力は、スイッチング回路５８の約７０ｋＨｚ〜１００ｋＨｚのスイッチングにより逆電圧が発生し整流回路５６へ大きな出力を行う。整流回路５６の出力は、安定化のためにスイッチング回路５８にフィードバックされる。整流回路５２の出力はノイズフィルター６０、平滑回路６２を経て直流電力として出力される。
【００３２】
こうして、ロッド３７及び髪止め具３９へ直流電力として５Ｖ，１２，２４Ｖ等の供給を行うことができる。
【００３３】
図７の回路は、図５（ｂ）に対応し、ＷＢコアトランス６８、整流回路７０、平滑回路７２を備えている。ＷＢコアトランス６８は、１次側に電力を供給すると鉄心７２の中に磁束が発生し、ルート２倍の出力を整流回路７０に入力する。整流回路７０からは平滑回路７２を介して直流電力として出力される。
【００３４】
こうして、ロッド３７及び髪止め具３９へ直流電力として５Ｖ，１２，２４Ｖ等の供給を行うことができる。
【００３５】
前記ＷＢコアトランス６８の磁束を外部に放出しないようにコアの形状や材質を工夫し、効率の良い変圧器を実現することができる。
【００３６】
前記電線４１は、ハンガーフレーム４７に架けられるようになっている。ハンガーフレーム４７は、二本のサイドロッド４９の先端にＵ字形のハンガー部５１が支持されたものである。サイドロッド４９は、下端に脚部５３が設けられ、脚部５３が前記ケース蓋部７の側壁２３ａの内面に載置支持されている。サイドロッド４９は、固定具５５によりケース蓋部７の側壁２３ｂに着脱可能に支持されている。但し、前記サイドロッド４９は、脚部５３を前記ケース蓋部７の側壁２３ａに固定し、下端を前記脚部５３に差し込むことによって前記側壁２３ｂに着脱可能に支持する構成とすることもできる。これら、サイドロッド４９及びハンガー部５１は、分解可能であり、前記収容空間部２９内に収納できるようになっている。収容空間部２９内には、その他、電線４１、ロッド３７，髪止め具３９等も収容させることができる。但し、収容空間部２９内に収容する付属具は、適宜選択できる。前記ハンガー部５１に、前記電線４１の先端部側が架けられている。
【００３７】
前記電線４１のコネクタ組４５には、それぞれ前記頭髪カール用のロッド３７及び髪止め具３９が着脱自在且つ電気的に接続されている。
【００３８】
前記ロッド３７及び髪止め具３９は、例えば図８，図９のようになっている。図８は、ロッド３７及び髪止め具３９の組み合わせを示す平面図、図９は同側面図である。図８，図９では、頭髪が省略されているが、前記ロッド３７に頭髪を巻き付け、該ロッド３７の外周側に髪止め具３９を着脱可能に装着している。ロッド３７の構成は図１０，図１１を参照する。図１０は、ロッド３７の分解断面図、図１１は同側面図である。
【００３９】
図８〜図１１のように、ロッド３７はロッド本体５７と、端子体５９とからなっている。ロッド本体５７は、非導電性の樹脂で中空状に形成され、一端を閉塞する端壁６１を備え、開口された他端に嵌合穴部６３を備えている。
【００４０】
前記ロッド本体５７の内周には、内側温度調整体としてフィルムヒータ６５が着脱可能に取り付けられている。フィルムヒータ６５は、フィルムの弾性力によりロッド本体５７の内周面に押し付けられるように保持されている。但し、フィルムヒータ６５をロッド本体５７の内周に固着することもできる。フィルムヒータ６５は、非導電性の樹脂フィルム内にニクロム線等を配線したものである。フィルムヒータ６５は、ロッド本体５７の内周面全体にほぼ渡って設けられているが、部分的に設けることも可能である。フィルムヒータ６５には、それぞれプラスマイナス用のコネクタ６７，６９が接続されている。
【００４１】
前記端子体５９は、非導電性の樹脂で形成された端子体本体７１と、プラスマイナスの２本の端子金具７３，７５とからなっている。端子体本体７１には、嵌合部７７が設けられ、前記嵌合穴部６３に着脱可能に嵌合固定される。
【００４２】
前記端子金具７３，７５の一端部に前記フィルムヒータ６５のコネクタ６７，６９が接続され、端子金具７３，７５の他端部に前記電線４１のプラスマイナスのコネクタ７９，８１がそれぞれ着脱自在に差し込み接続される。
【００４３】
前記髪止め具３９は、図１２〜図１５を参照して説明する。図１２は髪止め具の平面図、図１３（ａ）は髪止め具に装着するキャップの平面図、（ｂ）は同側面図、図１４は髪止め具を閉じた状態の側面図、図１５は髪止め具を開いた状態の側面図である。
【００４４】
図８，図９，図１２〜図１５のように、前記髪止め具３９は、一対のフラップ体８３，８５で構成されている。フラップ体８３，８５は、湾曲部８７，８９とつまみ部９１，９３とを非導電性の樹脂で一体に形成したものである。湾曲部８７，８９の曲率は、前記ロッド３７とほぼ同様に形成され、ロッド３７よりも直径を大きくして、ロッド３７との間に頭髪を挟み込むための若干の空間を形成することができるようになっている。
【００４５】
前記湾曲部８７，８９には、湾曲に沿って外側温度調整体としてフィルムヒータ９５，９７が設けられている。フィルムヒータ９５，９７は、非導電性の樹脂フィルム内にニクロム線等を配線したものである。フィルムヒータ９５，９７は、フラップ体８３，８５と同様な幅、同様な長さに形成され、フラップ体８３，８５全体の温度調整ができるように配置されている。フィルムヒータ９５，９７は、湾曲部８７，８９に設けられた差込みスリット９９，１０１に差し込んで取り付けられている。従って、フィルムヒータ９５，９７の交換を容易に行うことができる。
【００４６】
前記フィルムヒータ９５には、プラスマイナスの電線１０３，１０５が接続され、該電線１０３，１０５の端部にコネクタ１０７，１０９が設けられている。電線１０３，１０５は、窓１１１を介して湾曲部８７から引き出され、窓１１１にほぼ同形状のキャップ１１３が取り付けられ、電線１０３，１０５の保持が行われている。キャップ１１３は、係合片部１１５，１１７を備えており、該係合片部１１５，１１７が窓１１１内に入り込むことによって、キャップ１１３の係合固定が行われている。前記フィルムヒータ９７からも同様に電線が引き出され、該電線の端部に同様にコネクタが設けられている。これらコネクタ１０７，１０９等が前記電線４１側のそれぞれのコネクタに差込み接続される。
【００４７】
前記つまみ部９１，９３は、相互に角度をもって配置され、対向側に結合片１１９，１２１が一体に設けられている。結合片１１９，１２１には、結合ピン１２３が貫通して取り付けられ、該結合ピン１２３にトルクスプリング１２５が支持されている。トルクスプリング１２５のアーム１２７，１２９は、それぞれつまみ部９１，９３の内面に弾接している。従って、つまみ部９１，９３をつまんで力を入れると、つまみ部９１，９３がトルクスプリング１２５の付勢力に抗して接近し、フラップ体１２７，１２９が結合ピン１２３を中心にして図１５のように開く。つまみ部９１，９３を離せば、トルクスプリング１２５の付勢力によってフラップ体１２７，１２９は図１４のように閉じる。
【００４８】
次に整髪処理装置の作用を説明する。
【００４９】
まず、ケース１の取手部１９を持つなどして、整髪処理装置を運び、７０〜８０ｃｍ程度の可動又は固定の台の上に載せる。
【００５０】
前記ケース１のロック係合金具１３のロック係止金具１５に対するロックを解除し、ケース蓋部７をヒンジ９により回動させ、ケース本体部５の開口１１を開く。
【００５１】
前記ケース蓋部７を開くと、制御ボックス３の操作部２５が開かれて露出する。収容空間部２９内に収容されているサイドロッド４９、ハンガー部５１等を取り出す。サイドロッド４９，ハンガー部５１を組み立て、サイドロッド４９の各脚部５３を図１のようにケース蓋部７の側壁２３ａ上に載置し、固定具５５により他の側壁２３ｂに固定する。この状態で、サイドロッド４９の中間部が、上部側の側壁２３ｃに当接し、サイドロッド４９が各側壁２３ａ，２３ｂ，２３ｃにより３点支持される。
【００５２】
電線４１は、例えばその一方のコネクタ４３がコネクタ部３５に差し込まれており、他方のコネクタ組４５側を引き出し、図１のようにハンガー部５１に架ける。
【００５３】
次いで、頭髪をカールする際には、まずロッド３７に頭髪を巻き付け、頭髪を巻き付けたロッド３７の外周側に髪止め具３９を装着する。ロッド３７に頭髪を巻き付ける際、及びロッド３７の外周側に髪止め具３９を装着する際には、それぞれ電線４１に対する接続を切り離しておく。
【００５４】
そして、複数のロッド３７を頭髪に巻き付け、それぞれ頭髪を巻き付けたロッド３７の外周側に髪止め具３９を装着する。髪止め具３９の装着に際しては、図１４，図１５で説明したように、つまみ部９１，９３をつまんで操作することによって、フラップ体４１，４３をトルクスプリング１２５に抗して開き、トルクスプリング１２５の付勢力によって閉じるようにする。
【００５５】
次いで、各ロッド３７の端子金具７３，７５に電線４１のコネクタ組４５のコネクタ７９，８１を差込み接続すると共に、各髪止め具３９の各フィルムヒータ９５，９７用のコネクタ１０７，１０９等に、前記電線４１側の各コネクタを差込み接続する。これによって、制御ボックス３と各ロッド３７及び各髪止め具３９が電気的に接続される。
【００５６】
この状態で、制御ボックス３の制御ボタン３１を操作して温度設定を行い、連続設定或いは単発設定により制御を開始する。この設定により、ロッド３７のフィルムヒータ６５と髪止め具３９のフィルムヒータ９５，９７との温度が適宜制御される。この制御によりカールした頭髪の内側を相対的に高い温度で加熱処理し同外側を相対的に低い温度で加熱処理する工程が実行される。
【００５７】
本実施例では、フィルムヒータ６５とフィルムヒータ９５，９７とに温度差があるように制御する。この温度差は、例えば５０℃となるように制御している。この温度差５０℃は、フィルムヒータ６５の発熱温度を相対的に高く、フィルムヒータ９５，９７の発熱温度を相対的に低くなるように制御している。具体的には、フィルムヒータ６５の発熱温度が１１０℃に、フィルムヒータ９５，９７の発熱温度が６０℃となるように制御し、内外の温度差が５０℃となるようにしている。
【００５８】
このフィルムヒータ６５、フィルムヒータ９５，９７の温度は、例えば液晶表示部３３に表示されるようになっている。従って、作業者はこの液晶表示部３３を見ながら温度調整を行うことができる。
【００５９】
また、連続設定では制御ボックス３によりフィルムヒータ６５、フィルムヒータ９５，９７の温度を設定し、自動的に温度制御を行う。この場合、途中では様々な温度を設定し、仕上げ段階で前記のような制御によってフィルムヒータ６５の発熱温度が１１０℃に、フィルムヒータ９５，９７の発熱温度が６０℃となるようにし、内外の温度差を５０℃とすることができる。
【００６０】
従って、頭髪のカール処理を的確且つ迅速に行わせることができる。
【００６１】
なお、ロッド３７及び髪止め具３９を洗浄するときは、フィルムヒータ６５、９５，９７を取り外して簡単に丸洗いすることができる。
【００６２】
以上、ロッド３７に巻き付けられた頭髪が温度調整されたフィルムヒータ６５及びフィルムヒータ９５，９７によって内外から熱処理され、カールを迅速且つ的確に形成することができる。
【００６３】
頭髪のカール処理が終了したら、上記とは逆に、ケース蓋部７をケース本体部５に対して閉じ、制御ボックス３の盤面２７を閉じる。ケース蓋部７は、ケース本体部５に対し、ロック係合金具１３及びロック係止金具１５によりロックすることができる。収容空間部２９には、電線４１、折り畳んだハンガーフレーム４７等を収容する。従って、ケース１の取手部１９や指架け部１７により、整髪処理装置全体を手軽に運ぶことができ、また、保管する場合にスペースを極めて少なくすることができる。
【００６４】
即ち、ケース１を被処理者の周辺に配置し、ケース蓋部７を開けることにより制御ボックス３の操作部２５が操作可能となり、手軽に整髪処理することができる。また、整髪処理後は、ケース蓋部７を閉めれば全体がコンパクトになり、置き場所スペースも少なくすることができる。
【００６５】
前記ケース蓋部７が、閉じ状態で前記操作部２５との間に収容空間部２９を形成するため、収容空間部２９に電線等を容易に収容することができる。
【００６６】
前記ケース蓋部７が、前記ケース本体部５に対して起立状態及び閉じ状態に開閉可能であり、前記ケース蓋部７を、前記起立状態のときハンガーフレーム４７を保持可能に形成し、前記ケース蓋部７に保持したハンガーフレーム４７に、前記制ボックス３及び整髪具であるロッド３７、髪止め具３９間を接続する電線４１を架けることが可能であるため、ケース蓋部７を利用してハンガーフレーム４７及び電線４１を配備することができ、手軽に整髪処理を行わせることができる。
【００６７】
前記ハンガーフレーム４７を前記ケース蓋部７から取り外して分解又は折り畳み可能に構成し、前記ロッド３７、髪止め具３９、ハンガーフレーム４７、及び電線４１を前記収容空間部２９に収容する場合は、ケース蓋部７を利用してハンガーフレーム４７及び電線４１を配備することができながら、全体をコンパクトに収容することができる。
【００６８】
前記制御ボックス３は、スイッチング電源回路４４又は乾式自冷ＷＢ変圧器４６を備え、前記ロッド３７、髪止め具３９に、交流電源から直流電力又は交流電力として供給するため、変圧トランスを不要とし、重量を大幅に軽減し、装置のコンパクト化を可能とし、且つ手軽に整髪処理を行わせることができる。
【図面の簡単な説明】
【００６９】
【図１】整髪調整装置に係り、使用状態を示す斜視図である（実施例１）。
【図２】整髪調整装置に係り、使用状態を示す正面側から見た斜視図である（実施例１）。
【図３】ケース蓋部の斜視図である（実施例１）。
【図４】（ａ）は直流電力出力の回路図、（ｂ）は交流電力出力の回路図である（比較例）。
【図５】（ａ）は直流電力出力の回路図、（ｂ）は交流電力出力の回路図である（実施例１）。
【図６】制御ボックスが備える回路の回路図である（実施例１）。
【図７】制御ボックスが備える回路の回路図である（実施例１）。
【図８】ロッド及び髪止め具の組み合わせを示す平面図である（実施例１）。
【図９】ロッド及び髪止め具の組み合わせを示す側面図である（実施例１）。
【図１０】ロッドの分解断面図である（実施例１）。
【図１１】ロッドの側面図である（実施例１）。
【図１２】髪止め具の平面図である（実施例１）。
【図１３】（ａ）はキャップの平面図、（ｂ）は同側面図である（実施例１）。
【図１４】髪止め具を閉じた状態の側面図である（実施例１）。
【図１５】髪止め具を開いた状態の側面図である（実施例１）。
【図１６】ヘアウエーブ装置の斜視図である（従来例）。
【図１７】ヘアカーラーの一部を断面にした正面図である（従来例）。
【符号の説明】
【００７０】
１  ケース
３  制御ボックス（制御手段）
５  ケース本体部
７  ケース蓋部
２５  操作部
２９  収容空間部
３７  ロッド（整髪具）
３９  髪止め具（整髪具）
４１  電線
４４  スイッチング電源回路
４６  乾式自冷ＷＢ変圧器
４７  ハンガーフレーム
【図１】
2006025940.tif 000003
【図２】
2006025940.tif 000004
【図３】
2006025940.tif 000005
【図４】
2006025940.tif 000006
【図５】
2006025940.tif 000007
【図６】
2006025940.tif 000008
【図７】
2006025940.tif 000009
【図８】
2006025940.tif 000010
【図９】
2006025940.tif 000011
【図１０】
2006025940.tif 000012
【図１１】
2006025940.tif 000013
【図１２】
2006025940.tif 000014
【図１３】
2006025940.tif 000015
【図１４】
2006025940.tif 000016
【図１５】
2006025940.tif 000017
【図１６】
2006025940.tif 000018
【図１７】
2006025940.tif 000019